(57)【要約】【課題】  本発明は地震での揺れ動きを固定目地プレートと可動目地プレートとが接触状態で重なるのを防止できるようにして、固定目地プレートと可動目地プレートの底面（室内側）にキズが付くのを効率よく防止することができる天井用目地プレートを得るにある。【解決手段】  天井目地部のほぼ半分を覆う一方の建物の天井躯体に、下面が水平となるように後端部が固定された先端上面が傾斜面の固定目地プレートと、この固定目地プレートで覆えない天井目地部を覆う他方の建物の天井躯体に下面が水平となり、先端部が上方へ回動できるように後端部がヒンジ部材で取付けられた可動目地プレートと、この可動目地プレートの先端部寄りの上面に取付けられた少なくとも１個以上の吊り上げ片と、この少なくとも１個以上の吊り上げ片と係合し、目地部が狭くなると前記固定目地プレートに接触することなく、前記可動目地プレートの先端部を上方へ回動できるように前記一方の天井躯体に固定されたアームとで天井用目地装置を構成している。【選択図】  図１
2010203205.tif 000002
【特許請求の範囲】
【請求項１】
天井目地部のほぼ半分を覆う一方の建物の天井躯体に、下面が水平となるように後端部が固定された先端上面が傾斜面の固定目地プレートと、この固定目地プレートで覆えない天井目地部を覆う他方の建物の天井躯体に下面が水平となり、先端部が上方へ回動できるように後端部がヒンジ部材で取付けられた可動目地プレートと、この可動目地プレートの先端部寄りの上面に取付けられた少なくとも１個以上の吊り上げ片と、この少なくとも１個以上の吊り上げ片と係合し、目地部が狭くなると前記固定目地プレートに接触することなく、前記可動目地プレートの先端部を上方へ回動できるように前記一方の天井躯体に固定されたアームとからなることを特徴とする天井用目地装置。
【請求項２】
少なくとも１個以上の吊り上げ片はアームの幅寸法よりも大きい幅寸法の把手状に形成され、アームと接触する部位にはローラが取付けられていることを特徴とする請求項１記載の天井用目地装置。
【発明の詳細な説明】
【技術分野】
【０００１】
本発明は目地部を介して設けられた建物躯体の天井部分の目地部を覆う天井用目地装置に関する。
【背景技術】
【０００２】
従来、この種の天井用目地装置は地震で目地部が狭くなると、重なった状態でスライド移動したり、一方の固定目地プレートに他方の可動目地プレートが乗り上げて、その揺れ動きを吸収できるように構成されている。
【０００３】
しかしながら、従来の天井用目地装置は地震の揺れ動きを吸収することができるが、この揺れ動きの吸収時に一方の固定目地プレートと他方の可動目地プレートが重なり合った状態でスライド移動するため、重なり部分にスリ傷が付き、見苦しくなるという欠点があった。
【先行技術文献】
【特許文献】
【０００４】
【特許文献１】特許第３４０２２６２
【特許文献２】特許第３８１７１６８
【発明の概要】
【発明が解決しようとする課題】
【０００５】
本発明は以上のような従来の欠点に鑑み、地震での揺れ動きを固定目地プレートと可動目地プレートとが接触状態で重なるのを防止できるようにして、固定目地プレートと可動目地プレートの底面（室内側）にキズが付くのを効率よく防止することができる天井用目地プレートを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は天井目地部のほぼ半分を覆う一方の建物の天井躯体に、下面が水平となるように後端部が固定された先端上面が傾斜面の固定目地プレートと、この固定目地プレートで覆えない天井目地部を覆う他方の建物の天井躯体に下面が水平となり、先端部が上方へ回動できるように後端部がヒンジ部材で取付けられた可動目地プレートと、この可動目地プレートの先端部寄りの上面に取付けられた少なくとも１個以上の吊り上げ片と、この少なくとも１個以上の吊り上げ片と係合し、目地部が狭くなると前記固定目地プレートに接触することなく、前記可動目地プレートの先端部を上方へ回動できるように前記一方の天井躯体に固定されたアームとで天井用目地装置を構成している。
【発明の効果】
【０００８】
以上の説明から明らかなように、本発明にあっては次に列挙する効果が得られる。
【０００９】
（１）目地部が狭くなると可動目地プレートの先端部寄りの上面に取付けられた少なくとも１個以上の吊り上げ片と係合し、固定目地プレートに接触することなく、可動目地プレートの先端部を上方へ回動させるアームを備えているので、目地部が狭くなるように揺れ動いても、その揺れ動きを吸収することができるとともに、その揺れ動き時に固定目地プレートや可動目地プレートが接触しないのでキズが付いたりするのを確実に防止することができ、長期間きれいな状態で使用することができる。
【００１０】
（２）前記（１）によって、少なくとも１個以上の吊り上げ片と、この吊り上げ片と係合するアームを備えるだけでよいので、構造が簡単で、安価に設置することができる。
【００１１】
（３）前記（１）によって、建物間の目地天井部位や建物のエレベータシャフト周りの天井部位にでも設置することができる。
【００１２】
（４）請求項２も前記（１）〜（３）と同様な効果が得られるとともに、異なる前後方向に揺れ動いても、アームと吊り上げ片とが前後方向に移動できるため、その揺れ動きを吸収することができる。
また、ローラによって、アームの移動をスムーズにさせることができる。
【図面の簡単な説明】
【００１３】
【図１】本発明を実施するための第１の形態の平面図。
【図２】図１の２−２線に沿う断面図。
【図３】本発明を実施するための第１の形態の底面図。
【図４】本発明を実施するための第１の形態の目地部が広くなった動作説明図。
【図５】本発明を実施するための第１の形態の目地部が狭くなった動作説明図。
【図６】本発明を実施するための第２の形態の平面図。
【図７】図６の７−７線に沿う断面図。
【図８】本発明を実施するための第２の形態の吊り上げ片の説明図。
【図９】本発明を実施するための第３の形態の平面図。
【図１０】図９の１０−１０線に沿う断面図。
【図１１】本発明を実施するための第３の形態の正面図。
【図１２】本発明を実施するための第３の形態の上部支持具の説明図。
【図１３】本発明を実施するための第３の形態の下部支持具の説明図。
【図１４】本発明を実施するための第３の形態の目地部が狭くなった動作説明図。
【図１５】本発明を実施するための第4の形態の平面図。
【図１６】図１５の１６−１６線に沿う断面図。
【図１７】本発明を実施するための第5の形態の平面図。
【図１８】図１７の１８−１８線に沿う断面図。
【図１９】図１７の１9−１9線に沿う断面図。
【発明を実施するための形態】
【００１４】
以下、図面に示す本発明を実施するための形態により、本発明を詳細に説明する。
【００１５】
図１ないし図５に示す本発明を実施するための第１の形態において、１は目地部２を介して設けられた建物躯体３、３の天井部分の目地部を覆う本発明の天井用目地装置で、この天井用目地装置１は一方の建物の天井部分の目地部側の躯体３に後端部が固定され、水平方向に突出する先端部が目地部の中央部へ突出するように設けられ、先端部の上面が傾斜面４に形成された固定目地プレート５と、この固定目地プレート５と対応する前記他方の建物の天井部分の目地部側躯体３に後端部がヒンジ部材６で下面が水平状態で係止するとともに、前記固定目地プレート５の先端部近傍に位置する傾斜面７の先端部が上方へ回動できるように取付けられた可動目地プレート８と、この可動目地プレート８の先端部寄りの上面に取付けられた少なくとも1個以上の、本実施の形態では２個のチャンネル状の把手形状の吊り上げ片９、９と、この２個の吊り上げ片９、９と係合し、目地部２が狭くなると前記固定目地プレート５に接触することなく、前記可動目地プレート８の先端部を上方へ回動できるように、該固定目地プレート５の上部位置の前記一方の天井躯体３に固定された先端部が固定目地プレート５の先端部の傾斜面４と平行となる傾斜面１０を有するアーム１１、１１と、前記吊り上げ片９、９が位置していない部位の、前記可動目地プレート８部位に取付けられたダウンライトと称されるはめ込み式の電気照明灯１２、１２で構成されている。
【００１６】
上記構成の天井用目地装置１は通常時は図１および図２に示すように、天井目地部２は固定目地プレート５と、可動目地プレート８でほぼ隙間がない状態で覆われている。
地震により目地部２が広くなるように揺れ動くと、図４に示すように固定目地プレート５と可動目地プレート８とが離れるように移動して、その揺れ動きを吸収する。
また、目地部２が狭くなるように揺れ動くと、図５に示すようにアーム１１、１１の先端部から後端部方向と吊り上げ片９、９とが係合して、可動目地プレート８が固定目地プレート５に接触しないように上方へ回動させて、その揺れ動きを吸収することができる。
建物躯体３、３の揺れ動きが停止すると、可動目地プレート８や固定目地プレート５が元の位置へ自動的に戻る。
[発明を実施するための異なる形態]
【００１７】
次に、図６ないし図１９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図６ないし図８に示す本発明を実施するための第２の形態において、前記本発明を実施するための第１の形態と主に異なる点は、アーム１１、１１と係合する係合部材９ａにアーム１１がスムーズに移動できるように複数個のローラ１３を設置した吊り上げ片９Ａ、９Ａを用いた点で、このように形成された吊り上げ片９Ａ、９Ａを用いて構成した天井用目地装置１Ａにしても、前記本発明を実施するための第１の形態と同様な作用効果が得られる。
なお、本発明の実施の形態では吊り上げ片９Ａ、９Ａの係合部材９ａを円柱状のものを用い、両端部の支持部材９ｂ、９ｂに対して回転可能に取付けてもよい。
【００１９】
図９ないし図１４に示す本発明を実施するための第３の形態において、前記本発明を実施するための第１の形態と主に異なる点は、一方の建物の躯体としてのエレベータシャフト１４の開口部１５の上下部に水平に設けられた上下部支持具１６、１７にスライド移動可能に取付けられた四方枠１８と、この四方枠１８の上部に固定目地プレート５およびアーム１１、１１とを固定するとともに、前記固定目地プレート５と対応する他方の躯体３に吊り上げ片９、９を備えた可動目地プレート８を備えた点で、このように固定目地プレート５およびアーム１１、１１をエレベータシャフト１４にスライド移動可能に取付けられた四方枠１８に取付けた天井用目地装置１Ｂにしても、前記本発明を実施するための第１の形態と同様な作用効果が得られる。
【００２０】
なお、上部支持具１６は四方枠１８の上部位置の下部側のバー部材１９を左右方向に移動可能に支持する複数個のローラ２０を設けたエレベータシャフト１４に固定された受け支持部材２１と、前記四方枠１８の上部位置の上部側のバー部材２２の前部を複数個のローラ２３を介して支持するエレベータシャフト１４に固定された押え部材２４と、前記四方枠１８の上部位置の上部側のバー部材２２の後部を支持するエレベータシャフト１４に取付けられた複数個のガイドローラ２５とで構成されている。
前記下部支持具１７は四方枠１８の下部位置のバー部材２６の下部を複数個のローラ２７を介して支持するアングル状の下部支持部材２８と、前記バー部材２６の前後部にスムーズにスライド移動できるように設けられた前・後部ローラ２９、３０とで構成されている。
なお、エレベータシャフト１４の開口部１５の両側部には、一端部が四方枠１８の両側のバー部材３１、３１に取付けられ、他端部は前記開口部１５近傍のエレベータシャフト１４に取付けられた伸縮可能な伸縮パネル３２、３２を用いた壁用目地装置３３、３３が設けられている。
また、四方枠１８の下部位置のバー部材２６には床用目地プレート３４が固定されている。
【００２１】
図１５および図１６に示す本発明を実施するための第４の形態において、前記本発明を実施するための第３の形態と主に異なる点は、一方の建物の躯体としてのエレベータシャフト１４の開口部１５の上下部に設けた四方枠１８の上部のエレベータシャフト１４部位にアーム１１、１１とを固定した点で、このようにアーム１１、１１をエレベータシャフト１４に固定した、天井用目地装置１Ｃにしても、前記本発明を実施するための第３の形態と同様な作用効果が得られる。
【００２２】
図１７ないし図１９に示す本発明を実施するための第５の形態において、前記本発明を実施するための第１の形態と主に異なる点は、一方の建物の躯体３Ａと他方の建物の躯体３ＡとがＬ字状に形成された天井部分の目地部を異なる方向に揺れ動いても吸収できるように長い幅の吊り上げ片９Ｂをそれぞれの可動目地プレート８に取り付けた点で、このような吊り上げ片９Ｂをそれぞれの可動目地プレート８に取り付けた、天井用目地装置１Ｄにしても、前記本発明を実施するための第１の形態と同様な作用効果が得られる。
【００２３】
なお、前記本発明を実施する形態ではアーム１１を２個用いるものについて説明したが、本発明はこれに限らず、短い場合には１個のアームでもよく、長い場合には、例えば１ｍ間隔で設けてもよい。  
【産業上の利用可能性】
【００２４】
本発明は天井用目地装置を製造する産業で利用される。
【符号の説明】
【００２５】
１、１Ａ、１Ｂ、１Ｃ、１Ｄ：天井用目地装置、
２：目地部、                  ３：躯体、
４：傾斜面、                  ５：固定目地プレート、    
６：ヒンジ部材、              ７：傾斜面、
８：可動目地プレート、        ９、９Ａ、９Ｂ：吊り上げ片、
１０：傾斜面、                １１：アーム、
１２：はめ込み式電気照明灯、  １３：ローラ、
１４：エレベータシャフト、    １５：開口部、
１６：上部支持具、            １７：下部支持具、
１８：四方枠、                １９：バー部材、
２０：ローラ、                ２１：受け支持部材、
２２：バー部材、              ２３：ローラ、
２４：押え部材、              ２５：ガイドローラ、
２６：バー部材、              ２７：ローラ、
２８：下部支持部材、          ２９：前部ローラ、
３０：後部ローラ、            ３１：バー部材、
３２：伸縮パネル、                        ３３：壁用目地装置、
３４：床用目地プレート。
【図１】
2010203205.tif 000003
【図２】
2010203205.tif 000004
【図３】
2010203205.tif 000005
【図４】
2010203205.tif 000006
【図５】
2010203205.tif 000007
【図６】
2010203205.tif 000008
【図７】
2010203205.tif 000009
【図８】
2010203205.tif 000010
【図９】
2010203205.tif 000011
【図１０】
2010203205.tif 000012
【図１１】
2010203205.tif 000013
【図１２】
2010203205.tif 000014
【図１３】
2010203205.tif 000015
【図１４】
2010203205.tif 000016
【図１５】
2010203205.tif 000017
【図１６】
2010203205.tif 000018
【図１７】
2010203205.tif 000019
【図１８】
2010203205.tif 000020
【図１９】
2010203205.tif 000021